(57)【特許請求の範囲】
【請求項１】
孔（５）を画定するクロスメンバー（２）と、縦軸（Ｚ）に沿って前記孔（５）内を摺動するシャフト（２１）を有する支柱（６）と、プレート（７）に１台のビデオ写真装置を係合するための係合装置（８）を設けたプレート（７）と、縦軸（Ｚ）に沿って伸び、前記支柱（６）の係合部（２３）を収容可能な中空のスリーブ（１０）とを備えるビデオ写真装置用支持体（１）であって、前記クロスメンバー（２）が、前記クロスメンバー（２）に前記支柱（６）をクランプするためのクランプ要素（２０）を備え、前記プレート（７）が、前記スリーブ（１０）内に前記支柱（６）の前記係合部（２３）を脱着自在にロックするためのロック装置（１３、１８、２５、２６、１０ｃ）を更に備え、前記スリーブ（１０）が、前記シャフト（２１）の外径（Ｄ１）と実質的に等しい外径（Ｄ１’）を有し、前記縦軸（Ｚ）に沿って伸びる管状の筒状体を備え、前記クロスメンバー（２）に前記スリーブ（１０）をクランプするために、前記スリーブ（１０）が前記孔（５）に挿入され、前記クランプ要素（２０）と係合されることが意図される、ビデオ写真装置用支持体（１）。
【請求項２】
前記ロック装置（１３）が、前記プレート（７）を取り付けるための固定手段（１８）を備え、前記固定手段（１８）は、前記プレート（７）に設けられたハウジング（２７）内に位置し、前記係合部（２３）が前記スリーブ（１０）内で移動可能な格納位置（Ｘ）と、前記スリーブ（１０）内に前記支柱（６）をロックするために前記固定手段（１８）が前記係合部（２３）に設けられた固定対向手段（２５）と協働するロック位置（Ｙ）との間で移動可能である、請求項１に記載の支持体。
【請求項３】
前記ロック手段は、前記摺動ブロック（１８）が、前記固定対向手段（２５）と協働して前記スリーブ（１０）内に前記支柱（６）をロックするために、前記プレート（７）の周囲に間隔を置いて配置され、対応する複数の孔（１２）に摺動自在に収容されることが可能な複数の摺動ブロック（１８）を備える、請求項１または２に記載の支持体。
【請求項４】
前記複数の摺動ブロックは、前記プレート（７）に周囲に間隔を置いて配置された３つの摺動ブロック（１８）を備える、請求項１〜３の何れか一項に記載の支持体。
【請求項５】
前記固定対向手段は、前記スリーブ（１０）に前記支柱（６）をロックするために前記ロック位置（Ｙ）において前記複数の摺動ブロック（１８）を収容するために設けられた溝型要素（２５）を備える、請求項３または４に記載の支持体。
【請求項６】
前記ロック装置（１３）は、前記固定手段（１８）を前記格納位置（Ｘ）から前記ロック位置（Ｙ）に、およびその逆も同様に移動させるために、前記スリーブ（１０）の前記縦軸（Ｚ）に対して回転自在で、前記縦軸（Ｚ）に対する前記回転の結果として前記プレート（７）の方向または前記プレート（７）から離れる方向に移動可能なロッキングリングナット（１４）を備える、請求項２〜５の何れか１項に記載の支持体。
【請求項７】
前記ロッキングリングナット（１４）は、前記格納位置（Ｘ）と前記ロック位置（Ｙ）との間で前記固定手段（１８）を移動させるために、前記縦軸（Ｚ）に対して取付角（α）で傾斜し、前記固定手段（１８）に接して収容するように形成された押し表面（１６）を備える、請求項１〜６の何れか１項に記載の支持体。
【請求項８】
前記押し表面（１６）は前記縦軸（Ｚ）に対して１５°〜３０°の角度（α）で傾斜する、請求項１〜７の何れか１項に記載の支持体。
【請求項９】
前記ロック装置（１３）は、前記ハウジング（２７）に前記固定手段（１８）を押し込むために、押し込み装置（２９）を備える、請求項１〜８の何れか１項に記載の支持体。
【請求項１０】
前記ロック装置（１３）は、前記固定手段（１８）に対して縦方向に反対の位置で前記スリーブ（１０）に設けられ、対応する追加の固定対向手段（２６）と協働するために配置される追加のロック手段（１０ｃ）を更に備え、前記追加の固定対向手段（２６）が前記ロック対向手段（２５）に対して縦方向に反対の位置で前記係合部（２３）に設けられ、前記スリーブ（１０）に前記支柱（６）をロックするために設けられる、請求項１〜９の何れか１項に記載の支持体。
【請求項１１】
前記支柱（６）は、前記孔（５）内で摺動自在なように形成され、前記プレート（７）に前記支柱（６）を連結するために、縦方向端部（２１ａ）に前記スリーブ（１０）に挿入される前記係合部（２３）を設けたシャフト（２１）を備える、請求項１〜１０の何れか１項に記載の支持体。
【請求項１２】
前記係合部（２３）は、前記シャフト（２１）内に配置される第１の部分（２３ａ）と、前記スリーブ（１０）内に摺動式に挿入可能な第２の部分（２３ｂ）と、前記第１の部分（２３ａ）と前記第２の部分（２３ｂ）との間に置かれ、前記スリーブ（１０）に前記係合部（２３）を挿入中に移動限界要素として作用するショルダー部（２３ｃ）とを備える、請求項１〜１１の何れか１項に記載の支持体。
【請求項１３】
前記スリーブ（１０）と前記シャフト（２１）は、互いに実質的に等しい外径（Ｄ１、Ｄ１’）を有し、前記支柱（６）が前記スリーブ（１０）に取り付けられるとき、前記孔（５）の前記縦軸（Ｚ）に沿って摺動自在な実質的に連続面が前記縦軸（Ｚ）に沿って形成される、請求項１〜１２の何れか１項に記載の支持体。
【発明の詳細な説明】
【技術分野】
【０００１】
本発明は、主請求項のプリアンブルに記載されている特徴を有するタイプのビデオ写真機材などのための支持体に関する。
【背景技術】
【０００２】
写真、テレビおよび映画撮影の分野で、記録装置を指向可能な方法で支持するために、三脚、スタンドなどのような支持体を使用することが広く知られている。
【０００３】
このような技術分野において、前記支持体は、３つ以上の伸縮自在な脚部が既知の方法で接続されたクロスメンバーと、このクロスメンバーに画定された孔に軸方向に摺動自在な１つの支柱を含んでいる。
【０００４】
この支柱の一端には、支持される装置を支えることを意図したプレートが装着されている。
【０００５】
脚部は通常伸縮自在で、クロスメンバーに対する様々な開角度（opening angle）に位置決めしてロックすることができ、一方、クロスメンバーの孔内を軸方向に支柱を摺動させることによってプレートの高さを変動させることができ、それによって、様々な高さに位置する対象を撮影するために、プレートと連動して装置の高さを変動させることができる。
【０００６】
この既知の支持体の欠点は、クロスメンバーの下に突出した支柱の部分と支持体の支持面との間の干渉により生じるが、この干渉によって例えば地面に近い高さで撮影するためにビデオ写真機材を非常に低いポイントに位置付けることが妨げられる。
【０００７】
この欠点は、同出願人による国際公開公報ＷＯ２００７／１２５０８２に記述された支持体によって克服されている。
【０００８】
国際公開公報ＷＯ２００７／１２５０８２の支持体は、三脚の支持脚部がヒンジで取り付けられたクロスメンバーと、このクロスメンバーに設けられた孔で摺動することができる支柱とを含み、この支柱の一端にはビデオ写真機材を支えることを意図したプレートが設けられ、この支柱の対向する他端にはキャップが設けられている。プレートとキャップは支柱から取り外すことができるように脱着可能な固定手段で支柱に取り付けられ、クロスメンバーの対向する両端に取り付けられる。
【０００９】
例えば、地面または地面近くに置かれた対象を撮影するために支持体の垂直の空間的な制約条件を低減することが望ましいとき、操作者は支柱からキャップとプレートを分離し、クロスメンバーの孔から支柱を取り外し、次いでクロスメンバーに直接プレートとキャップを取り付ける。
【００１０】
この支持体は上述の問題を解決するが、支持体を、支柱を備えた構造から、短い構造すなわち支柱のない構造に改造するのに必要な操作が面倒であるという欠点がある。
【００１１】
上述の改造を行なうために、頭部が取り付けられたプレートを分離する必要があり、したがって、ビデオ写真機材を支柱から分離する必要があり、孔から支柱を取り外した後、再度クロスメンバーにプレートを直接取り付ける必要がある。したがって、頭部とビデオ写真機材を破損するリスクがある。
【発明の概要】
【発明が解決しようとする課題】
【００１２】
本発明の課題は、引用された先行技術文献に述べられた限界を構造上機能的に克服することを意図した、ビデオ写真機材の支持体を提供することである。
【課題を解決するための手段】
【００１３】
この問題と以下に明らかになる他の問題は本発明によって検討され、添付されたクレームに従って製作された支持体によって解決される。
【００１４】
本発明の特徴と利点は、添付図面を参照して非限定例として示される、本発明の好ましい、且つ非排他的な実施の形態の以下の詳細な説明から明らかになる。
【図面の簡単な説明】
【００１５】
【図１】図１は、本発明の支持体の一部切欠分解断面図である。
【図２】図２は、第１作用形態Ｗにおける本発明の支持体の一部切欠断面正面図である。
【図３】図３は、図２と同様の支持体の図であるが、中間形態Ｗ’に関する図である。
【図４】図４は、図２と対応する支持体を上から見た図である。
【図５】図５は、図３と対応する支持体を上から見た図である。
【図６】図６は、図２と同様の図であるが、第２作用形態Ｗ’’に関する図である。
【図７】図７は、本発明の支持体の細部の図である。
【発明を実施するための形態】
【００１６】
これらの図面はビデオ写真機材用の支持三脚１を示し、この支持体は本発明に従って構成されている。
【００１７】
三脚１は、支持脚部４がヒンジで取り付けられた各々の領域において、ヒンジで動く３つの延長部品３を画定するように形成されるクロスメンバー２を含んでいる。
【００１８】
支持脚部４は、長さに関して伸縮自在で、長さを既知の方法で調整でき、三脚の高さおよび／またはその空間的な制約条件を変更することができる。
【００１９】
クロスメンバー２は、スライド式係合によって三脚１の支柱６を収容するように意図されたスライド孔５を画定するように形成される。支柱６は孔５内を孔５の縦軸Ｚに沿って摺動することができる。
【００２０】
クロスメンバー２は、支柱６の軸Ｚに沿った動きをロックする／アンロックするために、三脚１のユーザーによって当該分野でそれ自体が既知の方法で動かされる、クランプリング２０を更に含んでいる。
【００２１】
三脚１は、係合装置を備えたプレート７を更に含み、例えば、このプレート７で１つのビデオ写真機材（図示せず）を係合するために、縦軸Ｚに対して同軸上にある、実質的に円筒形状の係合ねじ８を含んでいる。
【００２２】
プレート７は、ビデオ写真機材と接して支えることを意図した当接面Ｓと、中空のスリーブ１０が連結される連結部９を更に含んでいる。スリーブ１０はプレート７の連結部９から当接面Ｓの反対方向へと伸びている。
【００２３】
スリーブ１０は、三脚１の使用中またはスリーブ１０が支柱６または孔５それ自体に取り付けられた状態で、実質的に孔５の縦軸Ｚに相当する縦軸に沿って伸びている。したがって、この軸は、以下、簡潔を期して同じ参照番号で示される。
【００２４】
スリーブ１０は、使用中、実質的に孔５の縦軸Ｚに相当する縦軸に沿って伸びる、管状の筒状体を含んでいる。
【００２５】
スリーブ１０は、以下に詳細に説明されるように、プレート７に支柱６を連結するために、支柱６を摺動式に支えるように形成される。スリーブ１０は、その外表面１０ａに、間隔を置いて周囲に配置された複数の孔を備えている。示された変形例では、ほぼ１２０°の角度間隔を置いて離れて配置された、３つの孔１２を備えている。
【００２６】
孔１２は、以下に詳細に説明されるように、プレート７に設けられたロック装置１３と協働するように形成され、プレート７と支柱６を連結／分離するために、スリーブ１０に支柱６をロックまたはスリーブ１０から支柱６をアンロックするように配置されている。
【００２７】
ロック装置１３は、連結部９の外側に配置され、三脚のユーザーが、スリーブ１０に支柱６をロックまたはスリーブ１０から支柱６をアンロックするために、図１の矢印Ｇの両方向に回転できるロッキングリングナット１４を含んでいる。ロック装置１３は、スリーブ１０に支柱６をロックまたはスリーブ１０から支柱６をアンロックするために、ロッキングリングナット１４によって移動させることができる複数のロッキングブロック１８を更に含んでいる。
【００２８】
図示されない更なる変形例では、支持体は、スリーブ１０に支柱６をロックまたはスリーブ１０から支柱６をアンロックするために、リングナットとは異なるロッキングブロックを移動させるのに適切なロック装置１３または別の適切なロック手段を備えている。ロック装置１３として、例えば偏心レバー、ノブ、ねじなどを使用することができる。
【００２９】
スリーブ１０の孔１２と対応する数のロッキングブロック１８が設けられ、各ロッキングブロックは対応する孔１２内に摺動する方法で支えられるように形成されている。
【００３０】
図示された変形例では、周囲に等距離で配置された３つのロッキングブロック１８が設けられている。
【００３１】
各ロッキングブロック１８は金属材料、例えばＺａｍａｋ合金から製作される。
【００３２】
三脚１の他の変形例（図示せず）では、異なる数のロッキングブロックが備えられてもよいが、等距離が好ましい。
【００３３】
ロッキングブロック１８は格納形態Ｘとロック形態Ｙとの間で移動可能である。以下に詳細に説明されるように、格納形態Ｘは図３に示され、格納形態Ｘにおいてロッキングブロック１８は、ロッキングリングナット１４とスリーブ１０との間で画定されるハウジング２７に配置され、この形態において支柱６はスリーブ１０に対して移動させることができる。一方、ロック形態Ｙは図２に示され、ロック形態Ｙにおいて各ブロック１８は対応する孔１２に挿入され、それによってスリーブ１０の内側に突出し、支柱６と干渉し、支柱６をスリーブ１０にロックする。
【００３４】
ロック形態Ｙにおいて、ロッキングブロック１８は、スリーブ１０に支柱６をロックするために、この支柱６に備えられた対応するロック対向手段と協働し、ロック装置１３のロック手段を構成している。
【００３５】
ロック装置１３は、ロッキングブロック１８と関連付けてハウジング２７の内側にロッキングブロック１８を押すように配置され、支柱６と干渉しないようにする押込装置を更に含んでいる。
【００３６】
図示された変形例において、押込装置は３つの板ばね２９を含み、各板ばね２９は、対応するロッキングブロック１８と関連付けられ、ハウジング２７にロッキングブロック１８を押し込むことができる押す力を各ロッキングブロック１８に適用するように配置されている。
【００３７】
図示されない他の変形例において、複数の板ばねまたは単一の板ばねとは異なる押込装置が設けられてもよい。
【００３８】
ロッキングリングナット１４は、ロッキングリングナット１４を回転させるためにユーザーがしっかり握れるようなハンドル１４ａを含み、ロッキングリングナット１４から、スリーブ１０の周囲に外側から配置される作動延長部（actuation extension piece）１５が、プレート７の反対側に伸びている。作動延長部１５は、スリーブ１０の縦軸Ｚに対して傾斜した方向に配置された押し表面（pushing surface）１６を含み、押し表面１６はロッキングブロック１８と接してこれを支えるので、ロッキングブロック１８は押し表面１６に対して摺動できる。押し表面１６は、好ましくはスリーブ１０の縦軸Ｚに対して１５°〜３０°の角度αに配置され、ロッキングブロック１８のための摺動コーンを構成する。
【００３９】
押し表面１６は、ロッキングリングナット１４から離れる方向へスリーブ１０に向かって収斂するように配置され、押し表面１６によってロッキングブロック１８に加えられた圧力が、以下に詳細に説明されるように、ロッキングリングナット１４から離れる方向または矢印Ｆ２の方向に増加する。
【００４０】
押し表面１６が縦軸Ｚに対して傾斜しているので、縦軸Ｚに沿ってそれを移動させると、以下に詳細に説明されるように、押し表面１６によってロッキングブロック１８に加えられる圧力が変化する。
【００４１】
縦軸Ｚに対して傾斜し、摺動自在に接してロッキングブロック１８を支えるよう配置された押し表面１６は、必ずしも回転ロック装置ではなく、ロッキングリングナットとは異なる形状のロック装置を設けることができる。
【００４２】
ロッキングリングナット１４のスリーブ１０に対する回転によってロッキングリングナット１４は縦軸Ｚに沿って移動し、回転方向に応じてプレート７の方向またはプレート７から離れる方向に移動され、したがって、ロッキングリングナット１４の回転移動運動が得られる。
【００４３】
ロッキングリングナット１４がプレート７の方へ移動されるとき、ロッキングリングナット１４に固定して結合された押し表面１６も、ロッキングブロック１８に対して摺動しながらプレート７の方へ移動される。
【００４４】
上述の通り、押し表面１６は縦軸Ｚに対して傾斜しているので、押し表面１６がプレートの方へ移動すると、ロッキングブロック１８に対する押す力が増す。
【００４５】
押し表面１６によってロッキングブロック１８に適用される押す力は図３における矢印Ｆ２によって示されるが、その力はロッキングブロック１８に対して板ばね２９によって加えられる圧力と反対方向に向かい、その圧力より大きい。
【００４６】
したがって、ロッキングブロック１８は、押し表面１６を摺動し、プレート７の方へ押され、次第にハウジング２７から除去され、スリーブ１０に設けられた夫々の孔１２に挿入され、ロック形態Ｙに移行する。ロック形態Ｙにおいて、ロッキングブロック１８は、スリーブ１０の内側に突出し、以下に詳細に説明されるように、支柱６をスリーブ１０にロックする。
【００４７】
逆に、ロッキングリングナット１４がロッキングリングナット１４をプレート７から離れる回転方向に回転させるとき、押し表面１６がプレート７から遠ざかり、ロッキングブロック１８に対して摺動し、ロッキングブロック１８と押し表面１６の間の相対運動を引き起こし、押し表面とロッキングブロック１８の間の干渉を低減する。
【００４８】
押し表面１６が縦軸Ｚに対して傾斜しているので、ロッキングブロック１８に対して押し表面１６によって加えられる力は次第に減少し、ロッキングリングナット１４から押し表面１６が離れる。
【００４９】
したがって、板ばね２９によって加えられた圧力の影響によりロッキングブロック１８が押し表面１６に対して押し付けられたままなので、ロッキングブロック１８は夫々の孔１２から解放され、ハウジング２７に次第に受け入れられ、以下に詳細に説明されるように、スリーブ１０に対して支柱６のロックを解除し、格納形態Ｘに到達する。
【００５０】
板ばね２９は、ロッキングブロック１８がハウジング２７に保持されることを可能にしている。
【００５１】
ロッキングリングナット１４は、スリーブ１０の周囲に配置され、クロスメンバー２のクランプリング２０に接するように配置されるガスケット１９を更に含んでいる。
【００５２】
支柱６は、支柱６の縦軸に沿って縦に伸びる管状のシャフト２１を含み、三脚１の使用中または支柱６が孔５に挿入された状態で、その縦軸は実質的に孔５の縦軸Ｚに相当する。この縦軸は、以下に簡潔を期して同じ参照番号で示される。
【００５３】
シャフト２１は、孔５内で摺動できるように構成され、支柱６をプレート７と連結するために、縦方向端部２１ａにスリーブ１０に挿入される係合部を備えている。
【００５４】
係合部は、シャフト２１内に配置され、そこに取り付けられる第１の部分２３ａと、スリーブ１０内に摺動式に挿入される第２の部分２３ｂと、第１の部分２３ａと第２の部分２３ｂとの間に置かれ、スピゴット２３をスリーブ１０に挿入中に移動限界要素として作用するショルダー部２３ｃとを備えるスピゴット２３の方式で形成される。
【００５５】
図示された変形例において、ショルダー部２３ｃ、シャフト２１およびスリーブ１０は、同じ外径Ｄ１を有している。その結果、支柱６がスリーブ１０に取り付けられた状態で実質的に連続面を形成し、ひいては支柱６とプレート７を含む組立体が孔５の縦軸Ｚに沿って自由に摺動することができ、支柱６とスリーブ１０は同様にクロスメンバー２の孔５に取り付けることができる。
【００５６】
更なる図示されない変形例において、スリーブ１０は、支柱６のシャフト２１の外径Ｄ１と実質的に等しい外径Ｄ１’を有している。スリーブ１０の外径Ｄ１’とシャフト２１の外径Ｄ１との差は、スリーブ１０の外径Ｄ１’の５〜１０％が好ましい。
【００５７】
前述のように、特に有利な変形例では、スリーブ１０とシャフトが同じ外径Ｄ１を有している。
【００５８】
支柱６は、孔５内で縦軸Ｚに沿って摺動して、プレート７とクロスメンバー２の間隔を変更することができ、または三脚１の空間的な制約条件および／またはプレート７に係合したビデオ写真機材の位置調整の高さを変更することができる。
【００５９】
スピゴット２３の第２の部分２３ｂは、ショルダー部２３ｃの外径Ｄ１未満の外径を有し、スリーブ１０に挿入され、スリーブ１０内で摺動することができる。
【００６０】
第２の部分２３ｂの自由端２４またはショルダー部２３ｃとは反対側に、第２の部分２３ｂは溝２５を備えており、この溝２５は自由端２４で周囲に伸び、スリーブ１０に支柱６をロックするためにプレート７のロック手段と協働するロック対向手段を構成するように形成される。
【００６１】
溝２５は、スリーブ１０に支柱６をロックするために、押し込み式ロック法でプレート７のロッキングブロック１８と連結されるように形成され、ロック位置Ｙにおいて、ロッキングブロック１８は溝２５に収容される。
【００６２】
第２の部分２３ｂの方へ向けられたショルダー部２３ｃの表面２６は、スリーブにおいて支柱用のロック要素を構成するように形成される。この表面２６は、スリーブ１０に支柱６をロックするためにスリーブ１０の自由端１０ｃと協働することができる。
【００６３】
以下に詳細に説明されるように、表面２６は、スリーブ１０内の支柱６の摺動に対する移動限界要素として更に作用することができる。
【００６４】
自由端１０ｃと表面２６は、第２ロック手段と対向手段を夫々構成し、スリーブ１０に支柱６をロックするために相互に協働する。
【００６５】
自由端１０ｃが円錐形で、一方の表面２６が球状である。したがって、表面２６と自由端１０ｃとの間に線形接触が生じ、スリーブ１０に支柱６をロックすることができる。
【００６６】
したがって、プレート７またはスリーブ１０は、縦方向に対向する位置に設けられた第１および第２ロック手段を備え、これらのロック手段が、縦方向に対向する位置に設けられた、支柱６の対応する第１および第２ロック対向手段またはスピゴット２３と協働する。
【００６７】
したがって、スピゴット２３およびスリーブ１０は、その２つの相対する縦方向の両端領域において相互に固定される。
【００６８】
これは、実質的にスピゴット２３ひいては支柱６とプレート７との間の相対的なロック作用を改善し、縦軸Ｚについての遊びと振動を防ぐ。
【００６９】
これは、プレート７と係合された１台のビデオ写真機材の位置決めと、撮影画像の品質を改善する。
【００７０】
ユーザーが、図２に示される作動形態Ｗで、すなわち支柱６により三脚１を使用したいとき、ユーザーが自由端２４を連結部分９の方へ押すことにより、支柱６のシャフト２１が孔５に導入され、スピゴット２３がプレート７のスリーブ１０に導入されるように、図３の中間作用形態Ｗ’における三脚を構成する。
【００７１】
中間作用形態Ｗ’において、ロッキングブロック１８はハウジング２７に挿入され、スピゴット２３はスリーブ１０で摺動することができる。
【００７２】
ロッキングリングナット１４は、プレート７の表面Ｓから最も遠い移動限界まで完全に広げられ、または回転される。
【００７３】
次いで、ユーザーは、図２の第１作用形態Ｗに三脚を移動させて、支柱６とプレート７をロックする準備をする。
【００７４】
これを行うために、ユーザーは、プレート７の表面Ｓに向かってロッキングリングナット１４を移動させる方向に、縦軸Ｚに対してロッキングリングナット１４を回転させる。
【００７５】
図２の矢印Ｆによって示されるように、その回転は、プレート７の押し表面１６に向かって運動を引き起こし、それは次いで、図３において矢印Ｆ２により示されるように、押し表面１６に対して直角の方向でロッキングブロック１８への押す力を次第に増加する。
【００７６】
押し表面１６が縦軸Ｚに対して傾斜し、プレート７の方へ次第に押し表面１６を移動させるので、ロッキングブロック１８は、押す力Ｆ２の構成要素のＦ１２の影響によってプレート７の方へ、および押す力Ｆ２の構成要素のＦ２２の影響によってスリーブ１０の内部の方へ、徐々に移動させられる。
【００７７】
ロッキングブロック１８は、押す力Ｆ２の結果として、押し表面１６に対して摺動し、プレート７の方へ移動させられ、スリーブ１０の表面に設けられた孔１２内に徐々に挿入され、スピゴット２３の開口部２４に設けられた溝２５に、ロッキングブロック１８が挿入され、それによって支柱６をスリーブ１０にロックする、図２に示されるロック形態Ｙに到達する。
【００７８】
ロッキングブロック１８が溝２５に次第に導入されるとき、ロッキングブロック１８の押下壁（pushing wall）１８ａは、プレート７の方へ誘導される溝２５の壁２５ａと相互に作用し、プレート７の方へスピゴット２３を徐々に移動させる。
【００７９】
スピゴット２３は、図２の矢印Ｆによって示された方向に、またはプレート７に向かって更に移動され、スリーブ１０は、スリーブ１０の自由端１０ｃがショルダー部２３ｃに対して接するまで移動して、スピゴット２３それ自体に取り付けられる。
【００８０】
その位置において、表面２６および自由端１０ｃは押し込み式のロック方法で連結され、スピゴット２３はスリーブ１０にクランプされる。
【００８１】
したがって、図２の作用形態Ｗにおいて、支柱６またはスピゴット２３と、プレート７またはスリーブ１０は、軸Ｚに対して２つが別々に縦方向に対向位置で互いにロックされる。
【００８２】
作用形態Ｗにおいて三脚１の位置決め中に、プレート７に取り付けられた装置が任意で存在する場合でも、支柱６とプレート７の間のロックには妨げとはならず、したがって、支柱６と係合される十分に前でも後でも同様に、装置はプレート７に瞬時に取り付けられる。
【００８３】
プレート７の高さを調整するために、プレート７が、ひいてはそれと係合される装置についても、所望位置またはプレート７の望ましい高さに達するまで、ユーザーは縦軸Ｚに沿って孔５の支柱６を移動させ、したがって、孔５における所望位置に支柱６をクランプリング２０によってロックする。
【００８４】
クランプリング２０は、支柱６またはスリーブ１０をクロスメンバー２にクランプまたはクロスメンバー２からリリースするために、縦軸Ｚの周囲を回転するように配置される。
【００８５】
クランプリング２０は、孔５に支柱６またはスリーブ１０を合わせて支柱６またはスリーブ１０をクランプするために、または支柱６またはスリーブ１０が縦軸Ｚに沿って孔５内を移動自在になるように、支柱６またはスリーブ１０をリリースするために配置された、円錐台形のクランプ表面２０ａを備えている。
【００８６】
クランプリング２０を回転させることによって、円錐台形のクランプ表面２０ａは、縦軸Ｚに沿って移動され、結果的に半径方向寸法が変更され、したがって、支柱６またはスリーブ１０をクロスメンバー２にクランプまたは／クロスメンバー２からリリースする。
【００８７】
非常に地面の近くに位置する対象を撮影したい場合、装置を所望通り配置できないような支柱６の空間的な制約条件を防ぐために、ユーザーは図６に示される第２作用位置Ｗ’’に位置する三脚１を準備する。
【００８８】
これを行うために、ユーザーは、ロッキングリングナット１４に働きかけて支柱６からプレート７のロックを解除し、プレート７からロッキングリングナット１４を離し、図２の矢印Ｆ１によって示された方向にそれを移動させ、図３の中間形態に三脚１を移動させる。
【００８９】
押し表面１６はプレート７から離され、ロッキングブロック１８は押し表面１６を摺動し、ロッキングリングナット１４とスリーブ１０との間に備えられたハウジング２７に次第に導入されることによって、板ばね２９によって押される溝２５および孔１２から離される。
【００９０】
ロッキングブロック１８が図３に示される格納位置Ｘにあるとき、スピゴット２３は、もはや連結部９に対して接するように押されないため、接続面２６はスリーブ１０の内表面１０ｂに干渉しない。
【００９１】
したがって、ロッキングブロック１８が格納位置Ｘに位置し、プレート７と支柱６とを分離するために、スリーブ１０内で支柱６が自由に摺動し、スリーブ１０から自由に回して取り外すことができる。
【００９２】
プレート７と支柱６とを分離した後、ユーザーは、クランプリング２０によってロックを解除し、孔５から支柱６を引き出し、孔５から支柱６を引き離す。
【００９３】
プレート７と支柱６を分離するために、ユーザーは、プレート７と係合された支柱６を最初に任意選択的に孔５から引き出し、次いでロック装置１３に働きかけてもよい。
【００９４】
その後、ユーザーは、支柱６なしで孔５にスリーブ１０を挿入し、クランプリング２０自体に働きかけて、ガスケット１９がクランプリング２０に接するまで移動させ、三脚を図６の第２作用形態Ｗ’’に位置決めすることによって孔５にスリーブ１０をロックする。
【００９５】
この位置において、スリーブ１０の管状の筒状体は、孔５に少なくとも部分的に挿入され、孔５にスリーブ１０をクランプするために、クランプリング２０と相互作用する。
【００９６】
スリーブ１０は、支柱６のシャフト２１の外径と実質的に等しい外径Ｄ１’を有するので、スリーブ１０は、第２作用形態Ｗ’’と第１作用形態Ｗの両方において支持体のロックは安定している。
【００９７】
クロスメンバー２の孔５にスリーブ１０をロックするために、ユーザーは当該分野で既知の方法によってクランプリング２０に働きかける。
【００９８】
ユーザーは、縦軸Ｚの周囲をクランプリング２０を回転させ、スリーブ１０の方向へ係合表面２０ａを徐々に押し、スリーブ１０を孔５に徐々にクランプする。
【００９９】
また、スリーブの外径Ｄ１’とシャフトＤ１は実質的に相互に等しいので、第１および第２作用形態ＷとＷ’’の両方において有効なクランプを得ることが可能である。
【０１００】
図２，６に夫々示される三脚１の形態間の移動は、プレート７から装置を分離することなく実行できる。
【０１０１】
したがって、装置に対して危険性のある損傷が予防され、三脚１を改造するための操作がスピードアップされ、位置決め操作は大いに簡潔になる。
【０１０２】
したがって、本発明は、引用された先行技術に関して上述の問題を解決する。
【要約】
ビデオ写真装置用支持体（１）は、孔（５）を画定するクロスメンバー（２）と、縦軸（Ｚ）に沿って前記孔（５）内を摺動するシャフト（２１）を有する支柱（６）と、プレート（７）に１台のビデオ写真装置を係合するための係合装置（８）を設けたプレート（７）と、縦軸（Ｚ）に沿って伸び、前記支柱（６）の係合部（２３）を収容可能な中空のスリーブ（１０）とを備え、前記プレート（７）が、前記スリーブ（１０）内に前記支柱（６）の前記係合部（２３）を固定するために移動されるロック装置（１３、１８、２５、２６、１０ｃ）を更に備える。
【選択図】図１【図１】
0005964524.tif 000002
【図２】
0005964524.tif 000003
【図３】
0005964524.tif 000004
【図４】
0005964524.tif 000005
【図５】
0005964524.tif 000006
0005964524.tif 000007
【図７】
0005964524.tif 000008